(57)【要約】【課題】キャブ剛性を十分に確保しつつ、溶接作業や溶接部分の検査工程の簡略化を図ることが可能なキャブ構造およびこれを備えた建設機械を提供する。【解決手段】キャブ２０は、ブルドーザ１０に搭載されており、複数の柱２３ａ〜２３ｄと、複数の梁部材２１ｂ〜２１ｅとを互いに接合して構成される。柱と梁部材とは、所定量ずらした段差部ｄを形成しつつ接合され、この段差部ｄを含むようにパッチ３２が貼り付けられる。柱と梁部材とパッチ３２とは、これらの各部材の接合部分に形成される隅肉溶接になる溶接部Ｗが形成されて接合が行われる。【選択図】図７
2008273410.tif 000002
【特許請求の範囲】
【請求項１】
複数の柱部材と梁部材とを接合して構成される建設機械のキャブ構造であって、
略鉛直方向に沿って配置された複数の前記柱部材と、
前記柱部材に対して所定量ずらして当接されて複数の前記柱部材の上端部付近同士を連結する前記梁部材と、
少なくともいずれか一方が中空のパイプ材である前記柱部材と前記梁部材とがずれて接合された部分に形成される段差部を含むように前記柱部材と前記梁部材とに渡って貼り付けられた接合部材と、
前記接合部材と前記柱部材、および前記接合部材と前記柱部材および前記梁部材との間で接合のために形成される隅肉溶接部と、
を備えているキャブ構造。
【請求項２】
前記柱部材と前記梁部材とは、略同一の断面形状を有している、
請求項１に記載のキャブ構造。
【請求項３】
前記梁部材は、前記柱部材の側面に対して両端部を当接させた状態で接合される、
請求項１または２に記載のキャブ構造。
【請求項４】
前記柱部材および前記梁部材の少なくとも一方は、略正方形の断面を有している、
請求項１から３のいずれか１項に記載のキャブ構造。
【請求項５】
前記接合部材が貼り付けられた前記段差部は、前記柱部材または前記梁部材の中空の端面が露出する面を有する、
請求項１から４のいずれか１項に記載のキャブ構造。
【請求項６】
前記複数の柱部材は、前記梁部材に対して垂直に接合されている、
請求項１から５のいずれか１項に記載のキャブ構造。
【請求項７】
前記複数の柱部材のうち、前記キャブの前側に配置された一対の柱部材は、他の前記梁部材よりも薄い板材によって形成された梁部材によって接合されている、
請求項１から６のいずれか１項に記載のキャブ構造。
【請求項８】
前記板材は、中実の部材によって形成されている、
請求項７に記載のキャブ構造。
【請求項９】
請求項１から８のいずれか１項に記載のキャブ構造を備えている、建設機械。
【発明の詳細な説明】
【技術分野】
【０００１】
本発明は、ホイルローダやブルドーザ、油圧ショベル等の建設機械に搭載されるキャブ構造およびこれを備えた建設機械に関する。
【背景技術】
【０００２】
近年、ホイルローダやブルドーザ、油圧ショベル等の建設機械には、角鋼管や異形鋼管等を組み合わせて構成されるキャブ（運転室）が搭載されている。
例えば、特許文献１には、六角錐台形状に形成された運転室において、最前面の左右の支柱を上部から中間部にかけて前傾させ、この中間部から底部にかけて順次拡大させた間隔で後傾させ、左右のドア側にオペレータのアイポイントによる拡大した前方視界域を形成したキャブ構造が開示されている。
【０００３】
このキャブ構造では、前方作業機であるブレード方向の視界が支柱によって遮られることを回避して、ブレード両端の視界性を向上させている。
【特許文献１】特開平５−１０６２４０号公報（平成５年４月２７日公開）
【発明の開示】
【発明が解決しようとする課題】
【０００４】
しかしながら、上記従来のキャブ構造では、以下に示すような問題点を有している。
すなわち、上記公報に開示されたキャブ構造では、キャブの剛性を十分に確保するために、略同一の断面を有する複数の柱部材と梁部材とを接合してキャブを構成した場合には、柱部材と梁部材とを接合する部分をフレア溶接や開先溶接を用いて接合すると溶接部分の強度が十分確保できない、溶接作業や溶接部分の検査工程が複雑化する等の問題が発生するおそれがある。
【０００５】
本発明の課題は、キャブ剛性を十分に確保しつつ、溶接作業や溶接部分の検査工程の簡略化を図ることが可能なキャブ構造およびこれを備えた建設機械を提供することにある。
【課題を解決するための手段】
【０００６】
第１の発明に係るキャブ構造は、複数の柱部材と梁部材とを接合して構成される建設機械のキャブ構造であって、複数の柱部材と、複数の梁部材と、接合部材と、隅肉溶接部と、を備えている。複数の柱部材は、略鉛直方向に沿って配置されている。複数の梁部材は、柱部材に対して所定量ずらして当接されて複数の柱部材の上端部付近同士を連結する。接合部材は、少なくともいずれか一方が中空のパイプ材である柱部材と梁部材とがずれて接合された部分に形成される段差部を含むように柱部材と梁部材とに渡って貼り付けられる。隅肉溶接部は、接合部材と柱部材、および接合部材と柱部材および梁部材との間で接合のために形成される。
【０００７】
ここでは、複数の柱部材と梁部材とを組み合わせて構成されるキャブ構造において、少なくとも一方が中空のパイプ材である柱部材と梁部材とをずらして接合させ、かつずらした接合部分の段差部を含むように柱部材と梁部材とに接合部材を貼り付ける。そして、この接合部材と柱部材および梁部材とが交差する面に隅肉溶接を行う。
【０００８】
これにより、柱部材と梁部材とを敢えてずらして接合し、この接合部分の段差を含むようにパッチ等の接合部材を貼り付けることで、接合部材および柱部材、梁部材との間において隅肉溶接部を形成することができる。この結果、柱部材と梁部材との接合部分の溶接に隅肉溶接を用いることができるため、フレア溶接や開先溶接等の他の溶接方法を採用した場合と比較して、接合部分の強度を確保しつつ、溶接ロボット等の溶接作業の簡素化、溶接部分の検査工程の簡略化を図ることができる。
【０００９】
第２の発明に係るキャブ構造は、第１の発明に係るキャブ構造であって、柱部材と梁部材とは、略同一の断面形状を有している。
ここでは、互いに接合される柱部材と梁部材とを、略同一断面を有するものによって構成している。
【００１０】
これにより、略同一の断面を有する柱部材および梁部材は、ほぼ同一の強度を有することになるため、例えば、ＲＯＰＳ（Roll-Over Protective Structure）構造を構成する際には、全体として均一な強度を有するキャブを構成することができる。
【００１１】
そして、このような略同一の断面形状を有する柱部材と梁部材とを用いてキャブを構成した場合でも、接合部分においては敢えてずらして接合することで、隅肉溶接用の閉断面を容易に形成することができる。この結果、略同一の断面形状によってキャブの剛性を十分に確保しつつ、隅肉溶接によって溶接部分の強度を十分に確保して、キャブの剛性を向上させることができる。
【００１２】
第３の発明に係るキャブ構造は、第１または第２の発明に係るキャブ構造であって、梁部材は、柱部材の側面に対して両端部を当接させた状態で接合される。
ここでは、柱部材と梁部材とを接合する部分において、梁部材の端部を柱部材の側面に対して当接させるようにしてキャブを構成する。
【００１３】
これにより、例えば、梁部材を組んで天井部材や床部材を構成した後、柱部材をキャブの側方からはめ込むようにしてキャブを構成することができる。この結果、柱部材と梁部材との接合部分の溶接を、キャブの外周側から実施することができるため、組立工程を簡略化することができる。
【００１４】
第４の発明に係るキャブ構造は、第１から第３の発明のいずれか１つに係るキャブ構造であって、柱部材および梁部材の少なくとも一方は、略正方形の断面を有している。
ここでは、柱部材および梁部材の少なくとも一方について、略正方形断面を有する部材を用いている。
【００１５】
これにより、キャブの柱部材として略正方形断面の部材を用いた場合には、キャブの前後方向、左右方向いずれの方向からの荷重にも剛性を有するキャブを構成することができる。この結果、部品の種類の削減とともに剛性の異方性を解消したキャブを提供することができる。
【００１６】
第５の発明に係るキャブ構造は、第１から第４の発明のいずれか１つに係るキャブ構造であって、接合部材が貼り付けられた段差部は、柱部材または梁部材の中空の端面が露出する面を有する。
これにより、中空の端面が露出した位置に接合部材を貼り付けることで、接合部分に隅肉溶接部を形成することができる。
【００１７】
第６の発明に係るキャブ構造は、第１から第５の発明のいずれか１つに係るキャブ構造であって、複数の柱部材は、梁部材に対して垂直に接合されている。
ここでは、複数の柱部材を、梁部材に対して略垂直に接合している。
【００１８】
これにより、キャブの上部ほど柱部材の間隔が小さくなる従来のキャブ構造と比較して、視覚的にキャブを大きく見せることができる。また、柱部材と梁部材との接合部分が略直角に統一されるため、接合部分に取り付けられる部品等を共通化してコストダウンを図ることができる。
【００１９】
第７の発明に係るキャブ構造は、第１から第６の発明のいずれか１つに係るキャブ構造であって、複数の柱部材のうち、キャブの前側に配置された一対の柱部材は、他の梁部材よりも薄い板材によって形成された梁部材によって接合されている。
ここでは、前方左右に立設された柱部材の上部をつなぐ梁部材として、他の梁部材よりも薄肉の部材を用いている。
【００２０】
これにより、柱部材の上端部に側面を揃えるように梁部材を接合することで、天井面からの梁部材の突出量を抑えることができる。この結果、キャブに搭乗したオペレータの前方の頭上空間を容易に確保することができる。
【００２１】
第８の発明に係るキャブ構造は、第７の発明に係るキャブ構造であって、板材は、中実の部材によって形成されている。
ここでは、上述した薄肉の梁部材については、中実の部材を用いてキャブを構成している。
これにより、他の梁部材よりも薄肉化したことによる強度低下を最小限とし、キャブの剛性低下を回避することができる。
【００２２】
第９の発明に係る建設機械は、第１から第８の発明のいずれか１つに係るキャブ構造を備えている。
ここでは、上述したキャブ構造を採用したキャブを搭載した建設機械を構成している。
これにより、上述したように、キャブ剛性を十分に確保しつつ、溶接作業や溶接部分の検査工程の簡略化を図ることが可能なキャブを構成することができる。
【発明の効果】
【００２３】
本発明に係るキャブ構造によれば、キャブ剛性を十分に確保しつつ、溶接作業や溶接部分の検査工程の簡略化を図ることができる。
【発明を実施するための最良の形態】
【００２４】
本発明の一実施形態に係るキャブ構造を採用したキャブ２０について、図１〜図９を用いて説明すれば以下の通りである。
［ブルドーザ１０の構成］
本実施形態に係る建設機械のキャブ構造は、図１に示すように、ブルドーザ（建設機械）１０に搭載されたキャブ２０に対して適用されている。
【００２５】
ブルドーザ１０は、車体１１と、車体１１を支持しながら履帯を回転させて車体を走行させる走行装置１４と、車体１１の上部に搭載されたキャブ２０と、を備えている。
車体１１は、図示しないエンジンを収納するエンジンルーム１２と、エンジンからの出力を駆動輪１３に伝達するためのパワートレインと、を有している。そして、エンジンからの出力による駆動輪１３の回転により、履帯が回転してブルドーザ１０が走行する。
【００２６】
キャブ２０は、複数の鋼管と鋼板とを組み合わせて構成されるオペレータ用の運転室を形成しており、車体１１の前後方向における中央部よりもやや後方に配置されている。なお、キャブ２０の構成およびその組立方法については、後段にて詳述する。
【００２７】
［キャブ２０の構造］
キャブ２０は、天井部２１、柱部２３を含むように構成されている。
（天井部２１の構成）
天井部２１は、キャブ２０の上部、つまり運転室の天井を形成する部材であって、図３に示すように、天井板材２１ａ、４本の梁部材２１ｂ〜２１ｅ、および補強部材（リブ部材）３１ａ、さらにパッチ（接合部材）３２（図５参照）を含むように構成されている。
【００２８】
天井板材２１ａは、鋼板によって形成される略六角形の部材であって、この略六角形の四辺に沿って４本の梁部材２１ｂ〜２１ｅが固定される。
４本の梁部材２１ｂ〜２１ｅは、４本の柱２３ａ〜２３ｄの各側面に対して、両端部が当接した状態で接合されている。
【００２９】
梁部材（板材）２１ｄは、キャブ２０の前側の梁として用いられており、他の梁部材２１ｂ，２１ｃ，２１ｅとは異なり、上下方向に薄肉の略長方形の断面であって中実の板材によって構成されている。さらに、梁部材２１ｄとこれに対向する梁部材２１ｅとには、図４に示すように、鋼板を略直角に折り曲げて形成されたボルト受け部３３が取り付けられている。これにより、ボルトを用いて天井板材２１ａと梁部材２１ｄ，２１ｅとを容易に取り付けることができる。
【００３０】
梁部材２１ｂ，２１ｃ，２１ｅは、中空鋼管（パイプ材）によって形成される棒状部材であって、上述のように、略六角形の天井板材２１ａの四辺に沿って、梁部材２１ｂと梁部材２１ｃ、そして梁部材２１ｄと梁部材２１ｅとが対辺になるように、それぞれ取り付けられている。また、３本の梁部材２１ｂ，２１ｃ，２１ｅは、図４等に示すように、全て略正方形の断面形状を有する同一部材である。また、４本の梁部材２１ｂ〜２１ｅによって形成される正方形の四隅（梁部材２１ｂ〜２１ｅ同士の交差部分）には、図４に示すように、それぞれ柱部２３の断面形状である略正方形に合わせて形成された接合空間Ｘが形成される。換言すれば、各梁部材２１ｂ〜２１ｅの端部が、接合空間Ｘに取り付けられる各柱部２３の断面形状に合わせて配置されている。各梁部材２１ｂ〜２１ｅの交差部分には、略三角形の板材である補強部材３１ａが配置されている。
【００３１】
補強部材３１ａは、所定の厚みを有する略三角形の板材であって、各梁部材２１ｂ〜２１ｅと柱部２３との交差部分に配置されている。このように、梁部材２１ｂ〜２１ｅと柱部２３との間を補強部材３１ａによってつなぐことにより、キャブ２０の剛性を向上させることができる。
【００３２】
パッチ３２は、略楕円形状の薄肉の板材の中央部分を折り曲げるように加工されて、平面部３２ａ，３２ａとその間の折り曲げ部３２ｂとを含むように構成されている（図９（ａ）および図９（ｂ）参照）。そして、後述する、互いにずらして接合された柱２３ａ〜２３ｄと梁部材２１ｂ，２１ｃ，２１ｅとの段差部ｄを含むように配置され、柱２３ａ〜２３ｄと梁部材２１ｂ，２１ｃ，２１ｅとを、後述する隅肉溶接によって接合する。
【００３３】
（柱部２３の構成）
柱部２３は、図２および図５、図６に示すように、４本の柱（柱部材）２３ａ〜２３ｄを有している。そして、４本の柱２３ａ〜２３ｄは、梁部材２１ｂ，２１ｃ，２１ｅと同一の略正方形の断面形状を有する中空のパイプ材であって、それぞれ天井部材２１の四隅に形成された梁部材２１ｂ〜２１ｅ間の接合空間Ｘに対して、側方から取り付けられる。これにより、キャブ２０の組立工程が簡素化され、かつキャブ２０の外周部から溶接を行うことで溶接作業を効率よく実施することができる。
【００３４】
また、柱２３ａ〜２３ｄは、梁部材２１ｂ〜２１ｅに対して垂直に交差するように取り付けられる。これにより、各柱２３ａ〜２３ｄを略鉛直方向に沿って配置することができるため、キャブ２０を視覚的に大きく見せることができる。また、柱２３ａ〜２３ｄと梁部材２１ｂ〜２１ｅとが垂直に交差するように接合されているため、その交差部分に設置される補強部材３１ａ，３１ｂとして、略同一形状の部材を用いることができる。
【００３５】
また、各柱２３ａ〜２３ｄが取り付けられる天井部材２１の接合空間Ｘ（図４参照）では、柱２３ａ〜２３ｄの略正方形の断面に合うように梁部材２１ｂ〜２１ｅの端部が配置されている。これにより、柱２３ａ〜２３ｄを天井部２１に対して側方から取り付けることができるとともに、柱２３ａ〜２３ｄを収まりのよい状態で接合部分に嵌め込むことができる。また、各柱２３ａ〜２３ｄが、各梁部材２２ｂ〜２２ｅとほぼ同一の略正方形の断面を有していることで、前後方向、左右方向において剛性に偏りがないキャブ２０を構成することができる。
【００３６】
＜柱２３ａ〜２３ｄと梁部材２１ｂ〜２１ｅとの接合＞
本実施形態では、図５および図６に示すように、複数の柱２３ａ〜２３ｄと梁部材２１ｂ〜２１ｅとの接合部分に、パッチ３２を用いている。
ここでは、柱２３ｄおよび梁部材２１ｃ，２１ｅの接合部分を例として挙げて、柱２３ｄと梁部材２１ｃ，２１ｅとをずらして配置したこと、パッチ３２を用いたことによる利点について図７〜図８（ｂ）を用いて説明する。なお、他の柱２３ａ，２３ｂ，２３ｃと梁部材２１ｂ，２１ｃ，２１ｅとの接合部分についても同様である。
【００３７】
柱２３ｄと梁部材２１ｃ，２１ｅとは、図７および図８（ａ）、図８（ｂ）に示すように、それぞれの接合部分において、所定量ずらした状態で接合され、接合部分に段差部ｄが形成されている。換言すれば、柱２３ｄと梁部材２１ｃ，２１ｅとは、上述したように、それぞれ同一の略正方形断面を有しているにもかかわらず、敢えてずらして接合することで、段差部ｄを形成している。より具体的には、梁部材２１ｃ，２１ｅともに、図８（ｂ）に示すように、柱２３ｄに対してキャブ２０の外周側へ所定量だけずらして接合されている。また、梁部材２１ｃ，２１ｅと柱２３ｄとの接合部では、梁部材２１ｃ，２１ｅの中空部３４が露出している。そして、このずらし接合によって形成された段差部ｄ上には、それぞれパッチ３２が中空部３４を覆うように貼り付けられている。
【００３８】
柱２３ｄと梁部材２１ｃとの接合部分においては、図７および図８（ｂ）に示すように、接合部分に形成された段差ｄをまたぐようにして、パッチ３２が柱２３ｄ側から段差部ｄ、梁部材２１ｃ側に渡って隅肉溶接による溶接部（隅肉溶接部）Ｗが形成され、各部材２３ｄ，２１ｃ，２１ｅを接合している。
【００３９】
一方、柱２３ｄと梁部材２１ｅとの接合部分においても同様に、図７および図８（ｂ）に示すように、接合部分に形成された段差ｄをまたぐようにして、パッチ３２が柱２３ｄ側から、段差部ｄ、梁部材２１ｅ側に渡って隅肉溶接による溶接部Ｗが形成され、各部材２３ｄ，２１ｃ，２１ｅを接合している。
【００４０】
パッチ３２は、図７に示すように、略直交するパッチ３２の側面部分と柱２３ｄおよび梁部材２１ｃ，２１ｅの側面とによって形成されるＬ字溶接部Ｓ（図８（ａ）参照）に沿って、隅肉溶接されることによって梁部材２１ｃ，２１ｅの端部の中空部３４を覆うように貼り付けられる。このとき、上述したように、柱２３ｄと梁部材２１ｃ，２１ｅとは、段差部ｄを形成するようにずらして接合されているが、パッチ３２の接合によって、梁部材２１ｃ，２１ｅの接合部の四辺全てに隅肉溶接を形成することができ、実質的に溶接閉断面を形成している。
【００４１】
このように、隅肉溶接を用いて各部材２３ｄ，２１ｃ，２１ｅの接合を行うことで、フレア溶接や開先溶接等の他の溶接方法による接合と比較して、溶接作業や溶接部分の検査工程を簡略化し、かつ溶接部分の強度を十分に保持することができる。この結果、キャブ２０全体の剛性を確保しつつ、溶接ロボットの制御が容易になり、キャブの製造コストを低減することができる。
【００４２】
また、本実施形態のように、接合される各部材２３ｄ，２１ｃ，２１ｅを所定量ずらして接合し、このずらした段差部ｄ上を覆うようにパッチ３２を設けることで、接合部分の四辺に隅肉溶接が可能となり、パイプ材を使用しながら接合部の強度を十分に確保することができる。
【００４３】
［本キャブ２０の特徴］
（１）
本実施形態のキャブ２０は、図１に示すように、ブルドーザ１０に搭載されており、図５等に示すように、複数の柱２３ａ〜２３ｄと、複数の梁部材２１ｂ，２１ｃ，２１ｅとを互いに接合して構成されている。柱２３ａ〜２３ｄと梁部材２１ｂ〜２１ｅとは、図７に示すように、所定量ずらした段差部ｄを形成しつつ接合されており、この段差部ｄを含むようにパッチ３２が貼り付けられる。そして、柱２３ａ〜２３ｄと梁部材２１ｂ〜２１ｅとパッチ３２とは、これらの各部材の接合部分に形成されるＬ字溶接部Ｓに沿って溶接部Ｗが形成されて接合が行われる。
【００４４】
これにより、柱２３ａ〜２３ｄと梁部材２１ｂ，２１ｃ，２１ｅとをずらして接合したことにより、その段差部ｄを含むように貼り付けられたパッチ３２の周辺等に隅肉溶接用のＬ字溶接部Ｓを効果的に形成することができる。このため、溶接強度が大きく、溶接作業や検査工程が簡略化できる等の隅肉溶接による利点を享受しつつ、キャブ２０の剛性を向上させることができる。
【００４５】
（２）
本実施形態のキャブ２０では、図７および図８（ｂ）に示すように、構成部材である柱２３ａ〜２３ｄおよび梁部材２１ｂ，２１ｃ，２１ｅとして、略同一の断面形状を有する部材を用いている。
【００４６】
これにより、複数の柱２３ａ〜２３ｄや梁部材２１ｂ，２１ｃ，２１ｅの中に強度的に差がある部材をできる限り排除できるため、ＲＯＰＳ構造等を構成する際に強度的に安定したキャブ２０を得ることができる。
【００４７】
また、このように断面形状が共通の部材（柱２３ａ〜２３ｄ、梁部材２１ｂ，２１ｃ，２１ｅ）を組み合わせてキャブ２０を構成した場合でも、上述したように、敢えて両部材をずらして接合することにより、隅肉溶接を容易に形成することができる。
【００４８】
（３）
本実施形態のキャブ２０では、図７等に示すように、複数の梁部材２１ｂ〜２１ｅを、柱２３ａ〜２３ｄの側面に当接させた状態で接合している。
これにより、キャブ２０を構成する際に、柱２３ａ〜２３ｄを側方から嵌め込むようにして接合することができる。この結果、キャブ２０の外周側から溶接作業を行うことが可能となり、キャブ２０の製造コストを低減することができる。
【００４９】
（４）
本実施形態のキャブ２０では、図４および図７に示すように、略正方形の断面形状を有する柱２３ａ〜２３ｄ、梁部材２１ｂ，２１ｃ，２１ｅを用いている。
これにより、前後方向および左右方向において、均一の剛性を有するキャブ２０を構成することができる。この結果、キャブ２０を構成する部品の種類を削減し、キャブ２０の製造コストを低減することができる。
【００５０】
（５）
本実施形態のキャブ２０では、図４および図７に示すように、柱２３ａ〜２３ｄ、梁部材２１ｂ，２１ｃ，２１ｅとして、中空のパイプ材を用いている。
これにより、中空大断面を構成することで、各部材の剛性を向上させるとともに、各部材を中空にすることでキャブ２０の軽量化、コストダウンが図れる。
【００５１】
（６）
本実施形態のキャブ２０では、図５および図６に示すように、柱２３ａ〜２３ｄが、梁部材２１ｂ〜２１ｅに対して垂直に交差するように接合されている。
これにより、通常のキャブと比較して、視覚的に大きく見えるキャブ２０を構成することができる。また、梁部材２１ｂ〜２１ｅに対する柱２３ａ〜２３ｄの交差部分が全て垂直で統一されるため、交差部分に設置される補強部材３１ａ，３１ｂ等の形状を共通化して、部品の種類を削減することができる。
【００５２】
（７）
本実施形態のキャブ２０では、図５等に示すように、共通の補強部材３１ａ，３１ｂを用いて、柱２３ａ〜２３ｄと梁部材２１ｂ〜２１ｅとを接合している。
これにより、キャブ２０を構成する補強部材３１ａ，３１ｂの種類を削減して、キャブ２０の製造コストを削減することができる。
【００５３】
（８）
本実施形態のキャブ２０では、図５等に示すように、キャブ２０の前方に配置された梁部材２１ｄとして、他の梁部材２１ｂ，２１ｃ，２１ｅよりも薄い部材を用いている。
これにより、梁部材２１ｄの下方への出っ張り量が少なくなるため、キャブ２０内で運転操作等を行うオペレータの前方頭上空間を広く確保することができる。
【００５４】
（９）
本実施形態のキャブ２０では、図４等に示すように、他の梁部材２１ｂ，２１ｃ，２１ｅよりも薄い梁部材２１ｄとして、中実の部材を用いている。
これにより、薄肉化したことによる強度低下を回避して、キャブ２０において局所的に剛性が低下してしまうことを回避することができる。
【００５５】
（１０）
本実施形態のブルドーザ１０は、図１に示すように、上述したキャブ２０を搭載している。
これにより、上述したように、隅肉溶接を多用することで、キャブ２０の剛性を十分に確保しつつ、溶接部分の作業や検査工程を簡略化することが可能なキャブ２０を構成することができる。
【００５６】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、キャブ２０を構成する柱２３ａ〜２３ｄと梁部材２１ｂ，２１ｃ，２１ｅとして、略同一断面を有する中空のパイプ材を用いた例を挙げて説明した。しかし、本発明はこれに限定されるものではない。
【００５７】
例えば、柱と梁部材として、それぞれ相似形で同一形状の断面を有するパイプ材を用いてもよい。また、梁部材２１ｂ，２１ｃ，２１ｅを同じ長さの同一部品とすれば、さらに効果的である。
さらには、中空のパイプ材の替わりに、一部が中実の部材を用いてもよい。
【００５８】
ただし、中空大断面を有する柱、梁を用いてキャブを構成することで、局所的な剛性の低下を回避しつつキャブの剛性を向上させ、かつキャブの軽量化を図ることができるという点では、上記実施形態のように、略同一断面を有する中空のパイプ材を用いることがより好ましい。
【００５９】
（Ｂ）
上記実施形態では、キャブ２０を構成する柱２３ａ〜２３ｄと梁部材２１ｂ，２１ｃ，２１ｅとして、略正方形の断面を有するパイプ材を用いた例を挙げて説明した。しかし、本発明はこれに限定されるものではない。
例えば、略長方形、あるいは多角形、円形、楕円形等の断面形状を有する柱、梁部材を用いてもよい。
【００６０】
（Ｃ）
上記実施形態では、柱２３ａ〜２３ｄと梁部材２１ｂ，２１ｃ，２１ｅとをつなぐ接合部材として、略楕円形状の薄い鋼板を折り曲げるように加工したパッチ３２を用いた例を挙げて説明した。しかし、本発明はこれに限定されるものではない。
例えば、接合部材として、段差部分に沿って取り付けられるように金属のブロックを加工した部材を用いてもよい。
【００６１】
（Ｄ）
上記実施形態では、複数の柱２３ａ〜２３ｄを鉛直方向に沿って配置した例を挙げて説明した。しかし、本発明はこれに限定されるものではない。
例えば、従来のキャブに見られるような、キャブの上方が細くなるように配置された柱部材によって構成されるキャブに対して本発明を適用することも可能である。
【００６２】
（Ｅ）
上記実施形態では、ブルドーザ１０に搭載されるキャブ２０の構造に対して本発明を適用した例を挙げて説明した。しかし、本発明はこれに限定されるものではない。
例えば、本発明に係るキャブ構造が採用される建設機械としては、ブルドーザ以外にも、ホイルローダや油圧ショベル等の建設機械に搭載されるキャブに対しても本発明を適用することが可能である。
【産業上の利用可能性】
【００６３】
本発明のキャブ構造は、キャブの剛性を十分に確保しつつ、溶接作業の簡素化、溶接部分の検査工程の簡素化が図れるという効果を奏することから、複数の柱部材と梁部材とを組み合わせて構成されるキャブを搭載する各種建設機械に対して広く適用可能である。
【図面の簡単な説明】
【００６４】
【図１】本発明の一実施形態に係るキャブ構造を搭載したブルドーザの全体構成を示す斜視図。
【図２】図１のブルドーザに搭載されたキャブの構造を示す斜視図。
【図３】図２のキャブの天井部分を構成する天井部の構成を示す分解斜視図。
【図４】図３の天井部に含まれる梁部材を組み合わせた際の構成を示す斜視図。
【図５】図２のキャブの骨組み構造を示す前側方斜視図。
【図６】図２のキャブの骨組み構造を示す後側方斜視図。
【図７】図５等のキャブの接合部分の構成を示す部分拡大図。
【図８】（ａ），（ｂ）は、図７の接合部分を示す側面図および平面図。
【図９】（ａ），（ｂ）は、図８の接合部分に使用されたパッチの構成を示す平面図および側面図。
【符号の説明】
【００６５】
１０      ブルドーザ（建設機械）
１１      車体
１２      エンジンルーム
１３      駆動装置
１４      走行装置
２０      キャブ（キャブ構造）
２１      天井部
２１ａ    天井板材
２１ｂ    梁部材（梁部材）
２１ｃ    梁部材（梁部材）
２１ｄ    梁部材（板材）
２１ｅ    梁部材（梁部材）
２１ｆ    補強梁部材
２３      柱部
２３ａ〜２３ｄ  柱（柱部材）
３１ａ〜３１ｃ  補強部材（リブ部材）
３２      パッチ（接合部材）
３２ａ    平面部
３２ｂ    折り曲げ部
３３      ボルト受け部
３４      中空部
ｄ      段差部
Ｓ      Ｌ字溶接部
Ｗ      溶接部（隅肉溶接部）
Ｘ      接合空間                                                                               
【図１】
2008273410.tif 000003
【図２】
2008273410.tif 000004
【図３】
2008273410.tif 000005
【図４】
2008273410.tif 000006
【図５】
2008273410.tif 000007
【図６】
2008273410.tif 000008
【図７】
2008273410.tif 000009
【図８】
2008273410.tif 000010
【図９】
2008273410.tif 000011